(57)【要約】【課題】優れた結合効果や分離しにくく美観等の効果が得られるプラスチック積層工程構造を提供する。【解決手段】第一表面処理ユニットと、第一表面処理ユニットの一側に設けられた第二表面処理ユニットと、第二表面処理ユニットの一側に設けられる駆動輪と、駆動輪の一側に設けられる冷却輪と、対応するように、駆動輪と冷却輪との間に設けられる送料ユニットと、が含有されるプラスチック積層工程構造。これにより、第一と第二表面処理ユニットで、紙材の表面に対して、異なる密度の粗面処理を行って、フィルム材料が、安定的に、紙材の表面を喰いつけるように、フィルム層が形成される。【選択図】図１
0003178759.tif 000002
【実用新案登録請求の範囲】
【請求項１】
少なくとも一つの第一表面処理ユニットと、
上記第一表面処理ユニットの一側に設けられる少なくとも一つの第二表面処理ユニットと、
上記第二表面処理ユニットの一側に設けられる駆動輪と、
上記駆動輪の一側に設けられる冷却輪と、
対応するように、上記駆動輪と上記冷却輪の間に設けられる送料ユニットと、
が含有される、ことを特徴とするプラスチック積層工程構造。
【請求項２】
上記第一表面処理ユニットは、プラズマ処理器であることを特徴とする請求項１に記載のプラスチック積層工程構造。
【請求項３】
上記第二表面処理ユニットは、電暈処理器であることを特徴とする請求項１に記載のプラスチック積層工程構造。
【請求項４】
上記第一と第二表面処理ユニットは、それぞれ、プラズマ処理器であることを特徴とする請求項１に記載のプラスチック積層工程構造。
【請求項５】
上記冷却輪の表面に、図柄部や文字部が刻まれることを特徴とする請求項１に記載のプラスチック積層工程構造。
【請求項６】
上記送料ユニットは、少なくとも一つのフィルム材料が充填された材料タンクと、材料タンクに連通されて複数の送料口を有するダイヘッドと、が含有されることを特徴とする請求項１に記載のプラスチック積層工程構造。
【請求項７】
上記冷却輪の一側に、更に、巻き戻し輪が設置されることを特徴とする請求項１に記載のプラスチック積層工程構造。
【考案の詳細な説明】
【技術分野】
【０００１】
本考案は、プラスチック積層工程構造に関し、特に、第一と第二表面処理ユニットで、紙材の表面に対して、異なる密度の粗面処理を行って、フィルム材料が、安定的に、紙材の表面を喰いつけるように、フィルム層が形成され、優れた結合効果や分離しにくい、及び美観等の効果が得られるものに関する。
【背景技術】
【０００２】
一般に、紙材に、フィルムを設置する場合、従来の方式では、一般として、ローラーで、紙材を一側へ移動させ、また、移動過程中において、フィルム材料を注入し、冷却させることにより、紙材の表面に、フィルムが形成され、その後、紙材について、関連工程を利用して、目的に応じるような製品に、加工して作製することができる。
【０００３】
しかしながら、上記の従来方式によれば、上記紙材の表面が、一般平滑面であるため、フィルムと紙材が、結合されても、両者の間に、喰いつける力がないことにより、フィルムと紙材とが、分離する事態がよく発生し、そのため、紙材について、その後の作製工程をスムーズに進ませることができなくなる。
【０００４】
本考案者は、上記欠点を解消するため、慎重に研究し、また、学理を活用して、有効に上記欠点を解消でき、設計が合理である本考案に係るプラスチック積層工程構造を提案する。
【考案の開示】
【考案が解決しようとする課題】
【０００５】
本考案の主な目的は、第一と第二表面処理ユニットで、紙材の表面に対して、異なる密度の粗面処理を行って、フィルム材料が、安定的に、紙材の表面を喰いつけるように、フィルム層が形成され、優れた結合効果や分離しにくい、及び美観等の効果が得られるプラスチック積層工程構造を提供する。
【課題を解決するための手段】
【０００６】
本考案は、上記の目的を達成するため、第一表面処理ユニットと、第一表面処理ユニットの一側に設けられる第二表面処理ユニットと、第二表面処理ユニットの一側に設けられる駆動輪と、駆動輪の一側に設けられる冷却輪と、対応するように、駆動輪と冷却輪の間に設けられる送料ユニットと、が含有されるプラスチック積層工程構造である。
【０００７】
本考案の一実施例において、上記第一表面処理ユニットは、プラズマ処理器である。
【０００８】
本考案の一実施例において、上記第二表面処理ユニットは、電暈処理器である。
【０００９】
本考案の一実施例において、上記第一と第二表面処理ユニットは、それぞれ、プラズマ処理器である。
【００１０】
本考案の一実施例において、上記駆動輪は、シリカゲルからなる。
【００１１】
本考案の一実施例において、上記冷却輪の表面には、抗粘材が覆われる。
【００１２】
本考案の一実施例において、上記抗粘材は、テフロン（登録商標）やクロム或いはダイヤモンドライク材料である。
【００１３】
本考案の一実施例において、上記冷却輪の表面に、図柄部や文字部が刻まれている。
【００１４】
本考案の一実施例において、上記送料ユニットは、少なくとも一つのフィルム材料が充填された材料タンクと、材料タンクに連通されて複数の送料口を有するダイヘッドと、が含有される。
【００１５】
本考案の一実施例において、上記フィルム材料は、プラスチック材料や生物によって分解されるプラスチック材料あるいはバイオマスプラスチック材料である。
【００１６】
本考案の一実施例において、上記冷却輪の一側には、更に、巻き戻し輪が設置される。
【００１７】
以下、図面を参照しながら、本考案の特徴や技術内容について、詳しく説明するが、それらの図面等は、参考や説明のためであり、本考案は、それによって制限されることが無い。
【考案を実施するための形態】
【００１８】
図１と図２及び図３は、それぞれ、本考案の第一実施例の概念図と図１aの一部拡大の概念図及び図１bの一部拡大の概念図である。図のように、本考案に係るプラスチック積層工程構造は、少なくとも、第一表面処理ユニット１と第二表面処理ユニット２、駆動輪３、冷却輪４及び送料ユニット５から構成される。
【００１９】
上記の第一表面処理ユニット１は、プラズマ処理器である。
【００２０】
上記第二表面処理ユニット２は、第一表面処理ユニット１の一側に設けられ、電暈処理器であるが、上記第一と第二表面処理ユニット１、２は、位置が、互いに交換してもよく、そして、上記第二表面処理ユニット２は、プラズマ処理器でもよい。
【００２１】
上記駆動輪３は、第二表面処理ユニット２の一側に設けられ、シリカゲルの材質からなる。
【００２２】
上記冷却輪４は、駆動輪３の一側に設けられ、表面に、抗粘材４１が設置され、上記抗粘材４１は、テフロン（登録商標）やクロム或いはダイヤモンドライク材料からなる。
【００２３】
上記送料ユニット５は、対応するように駆動輪３と冷却輪４との間に設置され、少なくとも一つのフィルム材料５１が充填される材料タンク５２と、材料タンク５２に連通され、複数の送料口５３１を有するダイヘッド５３とからなり、上記フィルム材料５１は、プラスチック材料であってもよいし、生物によって分解されるプラスチック材料やバイオマスプラスチック材料でもよい。上記の構造により、新規のプラスチック積層工程構造が構成される。
【００２４】
本考案によれば、上記冷却輪４の一側には、更に、巻き戻し輪６が設置されてもよく、作製する時、紙材７（当該紙材７は、平滑面や平滑面に類似する面を有する）を、第一と第二表面処理ユニット１、２の一側から入力され、駆動輪３と冷却輪４及び巻き戻し輪６の持続的に回転することにより、紙材７が連動され、上記紙材７の表面に対して、第一表面処理ユニット１によって粗面処理され、これにより、紙材７の表面に、緻密且つ高密度の浅い粗面部７１が形成されてから、第二表面処理ユニット２によって粗面処理され、これにより、紙材７の表面に、更に、比較的にまばらな深い粗面部７２が形成され、それから、ダイヘッド５３の各送料口５３１から、材料タンク５２内のフィルム材料５１が、紙材７の表面にスプレーされてプラスチック積層され、その後、冷却輪４によって冷却され、そのため、紙材７の表面に、フィルム層５１ａが形成され、また、上記フィルム層５１ａは、浅い粗面部７１と深い粗面部７２により、安定的に紙材の表面に喰いつき、最後に、巻き戻し輪６よって巻き戻され、そのため、紙材７とフィルム層５１ａとの結合効果が向上されて、分離し難く、美観である効果が得られ、上記は、本考案の一つの実施形態であり、実用上、同時に、両台の第一表面処理ユニット１を設置してもよいし、同時に、両台の第一表面処理ユニット１と一台の第二表面処理ユニット２が設置されてもよい。
【００２５】
図４は、本考案の第二の実施例の概念図である。図のように、本考案は、上記の第一の実施例の構造の他に、本第二実施例の構造でもよく、上記の冷却輪４ａの表面に、図柄部４２ａや文字部が刻まれるところが異なり、これにより、紙材７が、冷却輪４ａを通す時、図柄部４２ａで、紙材７に、関係する図柄や文字が形成され、例えば、ウオーターマークで、そのため、本考案は、より実用的になる。
【００２６】
以上のように、本考案に係るプラスチック積層工程構造は、有効に従来の諸欠点を解消でき、第一と第二表面処理ユニットにより、紙材の表面に対して、異なる密度の粗面処理が行われ、フィルム材料が、安定的に、紙材の表面に喰いつくように、フィルム層が形成され、結合効果が向上されて、分離し難くなり、また、美観である効果が得られ、そのため、本考案は、より進歩的かつより実用的で、法に従って実用新案登録請求を出願する。
【００２７】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００２８】
【図１】本考案の第一の実施例の概念図
【図２】図１ａの一部拡大の概念図
【図３】図１bの一部拡大の概念図
【図４】本考案の第二の実施例の概念図
【符号の説明】
【００２９】
１      第一表面処理ユニット
２      第二表面処理ユニット
３      駆動輪
４、４ａ  冷却輪
４１    抗粘材
４２ａ  図柄部
５      送料ユニット
５１    フィルム材料
５１ａ  フィルム層
５２    材料タンク
５３    ダイヘッド
５３１  送料口
６      巻き戻し輪
７      紙材
７１    浅い粗面部
７２    深い粗面部
【図１】
0003178759.tif 000003
【図２】
0003178759.tif 000004
【図３】
0003178759.tif 000005
【図４】
0003178759.tif 000006